(57)【要約】【課題】煩わしい操作の手間を極力省き、ユーザが望むメニューに対応したレシピ情報をすぐに表示できるレシピ情報提供システムを提供する。【解決手段】レシピ情報提供システム１００は、料理集のメニューに付記される固有のＵＲＬ情報を含んだ二次元バーコードと、料理集の各メニューに関するレシピ情報を記憶保存する第１記憶部４７と、端末１４の読取り部３２が二次元バーコードを読取り、その二次元バーコードに含まれるＵＲＬ情報を当該端末１４から受け取ると、第１記憶部４７に記憶される複数のレシピ情報の中から、受け取ったＵＲＬ情報に対応するレシピ情報を選択して、その選択したレシピ情報を端末１４の表示部３１に表示させるレシピ情報提供部４４と、を備える。【選択図】図２
2020135212.tif 000002
【特許請求の範囲】
【請求項１】
料理集のメニューに付記され、当該メニューに対応する固有の識別情報を含むコード部と、
前記料理集の各メニューに関するレシピ情報を記憶保存する第１記憶部と、
端末の読取り部が前記コード部を読取り、そのコード部に含まれる前記識別情報を当該端末から受け取ると、前記第１記憶部に記憶される複数のレシピ情報の中から、受け取った前記識別情報に対応するレシピ情報を選択して、その選択したレシピ情報を前記端末に表示させるレシピ情報提供部と、
を備えたことを特徴とするレシピ情報提供システム。
【請求項２】
複数の音楽情報を記憶保存する第２記憶部と、
時刻を計時する時計部と、
前記第２記憶部に記憶される全ての音楽情報の中から、前記レシピ情報提供部で選択したレシピ情報に対応するメニューと、前記時計部で計時した時刻に共通して関連付けられた音楽情報を選択して、その選択した音楽情報を前記端末から再生させる音楽情報提供部と、
をさらに備えたことを特徴とする請求項１記載のレシピ情報提供システム。
【請求項３】
料理集のメニューに付記され、当該メニューに対応する固有の識別情報を含むコード部と、
前記料理集の各メニューに関するレシピ情報を記憶保存する第１記憶部と、
読取り部および表示部が設けられ、複数の前記レシピ情報が示す各メニューの調理を可能にする調理装置と、
前記調理装置の読取り部が前記コード部を読取り、そのコード部に含まれる前記識別情報を当該調理装置から受け取ると、前記第１記憶部に記憶される複数のレシピ情報の中から、受け取った前記識別情報に対応するレシピ情報を選択して、その選択したレシピ情報を前記調理装置の表示部に表示させるレシピ情報提供部と、
を備えたことを特徴とするレシピ情報提供システム。
【請求項４】
前記調理装置に設けられる出力部と、
複数の音楽情報を記憶保存する第２記憶部と、
時刻を計時する時計部と、
前記第２記憶部に記憶される全ての音楽情報の中から、前記レシピ情報提供部で選択したレシピ情報に対応するメニューと、前記時計部で計時した時刻に共通して関連付けられた音楽情報を選択して、その選択した音楽情報を前記調理装置の出力部から再生させる音楽情報提供部と、
をさらに備えたことを特徴とする請求項３記載のレシピ情報提供システム。
【発明の詳細な説明】
【技術分野】
【０００１】
本発明は、ユーザが選択した調理メニューに関するレシピ情報を、そのユーザの保有する端末に表示させるレシピ情報提供システムに関する。
【背景技術】
【０００２】
サーバに記憶管理された調理メニューに関するレシピ情報を、ユーザが保有する端末に表示させるレシピ情報提供システムが従来から知られている。例えば特許文献１には、電子レンジが調理可能な複数のレシピ情報から、予め登録されたユーザのバイタルデータに応じて選定されたレシピ情報を、所定のユーザの携帯端末に表示させることで、ユーザはその日のバイタルデータに応じてサーバが選定したレシピ情報を、自身の携帯端末で確認できるレシピ情報提供システムが開示されている。
【先行技術文献】
【特許文献】
【０００３】
【特許文献１】特開２０１７−５４１６９号公報
【発明の概要】
【発明が解決しようとする課題】
【０００４】
上記特許文献１のレシピ情報提供システムでは、ユーザの健康状態に応じた最適なレシピ情報を、ユーザの携帯端末に提示することができるものの、ユーザが自身の健康状態に関係なく、希望するレシピ情報を自由に選択することはできない。こうした機能を実現させるには、携帯端末からサーバにアクセスして、表示部上のタッチパネルへの操作により、サーバに記憶される全てのレシピ情報の中から、所望のレシピ情報を選び出さなければならず、調理前に煩わしい操作を強いられていた。また、ユーザがようやく所望のレシピ情報を探し出したとしても、そのレシピ情報は携帯端末の表示部に延々と表示されるだけで、無機質なソフトウェア機能により、その後で楽しく調理を行なおうとする気分が失われてしまっていた。
【０００５】
そこで、本発明は上記問題点に鑑み、煩わしい操作の手間を極力省いて、ユーザが望むメニューに対応したレシピ情報を、すぐに表示させることが可能なレシピ情報提供システムを提供することを目的とする。
【０００６】
また、本発明の別な目的は、気分を盛り上げて、楽しく調理を行なうことが可能なレシピ情報提供システムを提供することにある。
【課題を解決するための手段】
【０００７】
本発明のレシピ情報提供システムは、料理集のメニューに付記され、当該メニューに対応する固有の識別情報を含むコード部と、前記料理集の各メニューに関するレシピ情報を記憶保存する第１記憶部と、端末の読取り部が前記コード部を読取り、そのコード部に含まれる前記識別情報を当該端末から受け取ると、前記第１記憶部に記憶される複数のレシピ情報の中から、受け取った前記識別情報に対応するレシピ情報を選択して、その選択したレシピ情報を前記端末に表示させるレシピ情報提供部と、を備えたことを特徴とする。
【０００８】
また、本発明のレシピ情報提供システムは、料理集のメニューに付記され、当該メニューに対応する固有の識別情報を含むコード部と、前記料理集の各メニューに関するレシピ情報を記憶保存する第１記憶部と、読取り部および表示部が設けられ、複数の前記レシピ情報が示す各メニューの調理を可能にする調理装置と、前記調理装置の読取り部が前記コード部を読取り、そのコード部に含まれる前記識別情報を当該調理装置から受け取ると、前記第１記憶部に記憶される複数のレシピ情報の中から、受け取った前記識別情報に対応するレシピ情報を選択して、その選択したレシピ情報を前記調理装置の表示部に表示させるレシピ情報提供部と、を備えたことを特徴とする。
【発明の効果】
【０００９】
請求項１の発明によれば、料理集に掲載されたメニューの中で、所望のメニューに付記されたコード部を、ユーザが自身の端末の読取り部から読取るだけで、その端末に所望のメニューに対応したレシピ情報を表示させることができる。したがって、煩わしい操作の手間を極力省いて、ユーザが望むメニューに対応したレシピ情報を、すぐに表示させることが可能なレシピ情報提供システムを提供できる。
【００１０】
請求項２の発明によれば、所望のメニューに対応したレシピ情報をユーザの端末に表示させるだけでなく、そのレシピ情報と時季に相応しい音楽をユーザの端末から再生させることができる。したがって、ユーザの気分を盛り上げて、楽しく調理を行なうことが可能なレシピ情報提供システムを提供できる。
【００１１】
請求項３の発明によれば、料理集に掲載されたメニューの中で、所望のメニューに付記されたコード部を、ユーザが調理装置の読取り部から読取るだけで、その調理装置の表示部に所望のメニューに対応したレシピ情報を表示させることができる。したがって、煩わしい操作の手間を極力省いて、ユーザが望むメニューに対応したレシピ情報を、すぐに表示させることが可能なレシピ情報提供システムを提供できる。
【００１２】
請求項４の発明によれば、所望のメニューに対応したレシピ情報を調理装置の表示部に表示させるだけでなく、そのレシピ情報と時季に相応しい音楽を調理装置の出力部から再生させることができる。したがって、ユーザの気分を盛り上げて、楽しく調理を行なうことが可能なレシピ情報提供システムを提供できる。
【図面の簡単な説明】
【００１３】
【図１】本発明の第１実施形態において、レシピ情報提供システムの概要を示す説明図である。
【図２】同上、レシピ情報提供システムの構成を示す説明図である。
【図３】同上、レシピ情報提供システムで使用する料理集の要部を示す図である。
【図４】同上、調理装置の主な電気的構成を示すブロック図である。
【図５】同上、表示部に表示されるレシピ情報を含むＷｅｂページの全容を示す図である。
【図６】同上、サーバに記憶保存される音楽情報の一例を示す図である。
【図７】本発明の第２実施形態において、レシピ情報提供システムの構成を示す説明図である。
【図８】同上、調理装置の主な電気的構成を示すブロック図である。
【発明を実施するための形態】
【００１４】
以下、本発明に係る好ましいレシピ情報提供システムの各実施形態について、添付図面を参照しながら詳しく説明する。
【実施例１】
【００１５】
図１は、本発明の第１実施形態におけるレシピ情報提供システム１００の概要を示したものである。また図２は、本実施形態におけるレシピ情報提供システム１００の構成を示したものである。これらの各図において、システム１００は、料理集１０に付加される二次元コード（ＱＲコード：登録商標）１２と、この二次元コード１２を読取るための端末１４の他に、システム１００のセンター装置となるサーバ１６と、料理集１０に掲載された各メニューの調理を可能にする調理装置１８と、により概ね構成される。
【００１６】
図３は、料理集１０を見開いた状態の要部を示したものである。料理集１０は、調理装置１８に付属してユーザＵに提供される書物で、メニューの名前である料理名を文字で示した料理名表示体２０と、そのメニューの完成状態を撮影した写真による画像表示体２１の他に、当該メニューに対応する固有の識別情報を含む二次元コード１２を付記して、これらを一纏めにしたレシピ概要部２４を複数有して構成される。ここでのレシピ概要部２４は、レシピの中でメニューの名前と、出来上がりの状態だけを、固有の二次元コード１２と共に示した簡便なもので、限られた料理集１０の紙面中に多くのメニューを掲載することができる。
【００１７】
再び図１と図２に戻り、端末１４は例えば電話機能を付加したスマートフォンや、電話機能を有しないタブレットなどのユーザＵが保有する機器で、少なくとも操作部３０と、表示部３１と、読取り部３２と、送受信部３３と、出力部３４と、端末制御部３５とを備えている。操作部３０は、ユーザＵからのタッチ操作が可能なタッチパネルなどで構成され、表示部３１の前面に配置される。こうしたタッチパネルに代わり、或いはタッチパネルと併用して、ユーザＵからの押動操作が可能な押ボタンを操作部３０としてもよい。表示部３１は、カラーの液晶ディスプレイまたは有機ＥＬディスプレイなどで構成される。
【００１８】
読取り部３２は、端末制御部３５と協働して二次元コード１２を光学的に読取るように機能するもので、詳細は図示しないが、ＣＣＤエリアセンサからなる受光センサや、結像レンズや、照明部などを備えて構成される。送受信部３３は、無線や有線の通信ネットワーク３７を介して、端末１４とサーバ１６との相互通信を可能にするもので、ここでの通信ネットワーク３７はインターネットであるが、ＬＡＮ（Local Area Network）、ＷＡＮ（Wide Area Network）、専用回線などを利用してもよい。出力部３４は、端末１４に予め組み込まれた内蔵スピーカーなどで構成される。
【００１９】
端末制御部３５は周知のように、メモリおよびＣＰＵ（中央処理装置）を備えており、端末制御部３５の機能を実現するためのプログラムをメモリに記録し、これをＣＰＵが読み出すことでその機能を実行する構成となっている。端末１４のメモリに記録されるプログラムとして、本実施形態では読取り部３２が二次元コード１２を読取った時に、二次元コード１２に含まれる固有のＵＲＬ（Uniform Resource Locator）情報から自動的に起動し、そのＵＲＬに対応する固有のＷｅｂ（Wirld Wide Web）ページをサーバ１６から取得して表示部３１に表示させるブラウザソフトを備えている。このＵＲＬ情報は、それぞれのメニューに固有の識別情報に相当するものである。端末制御部３５が機能するブラウザソフトは、単にＷｅｂページを表示部に表示させるだけでなく、そのＷｅｂページに埋込まれた音楽ファイルをサーバ１６から読込んで、端末１４の出力部３４に再生させる表示再生制御部としての機能を有する。その他、端末１４が備える様々な機能や構成については、本発明と直接的な関連性が薄いため説明を省略する。
【００２０】
サーバ１６は、調理装置１８に関する各種サービスを、前述の通信ネットワーク３７を介してユーザＵに提供するＷｅｂサーバとして構成され、通信ネットワーク３７に接続して端末１４および調理装置１８との間で情報の授受を行なう通信部４０と、メモリおよびＣＰＵを備えた主制御部４１と、調理装置１８に関する種々の情報を記憶蓄積する記憶部４２と、現在時刻を計時するカウンタとしての時計部４３と、をそれぞれ備えている。なお図２では、同じユーザＵが保有する１台の端末１４と１台の調理装置１８が、通信ネットワーク３７を介してサーバ１６に接続したシステム１００の構成を示しているが、別な多数のユーザＵが保有する端末１４や調理装置１８についても、本システム１００では図示しないが、同様に通信ネットワーク３７を介して共通のサーバ１６に接続される。但しシステム１００では、個々のユーザＵがどの端末１４と調理装置１８を利用しているのかを認識するために、ユーザＵがシステム１００の利用を開始する際に、自身が利用する端末１４と調理装置１８とを特定するユーザ情報を、記憶部４２に予め記憶登録する構成となっている。
【００２１】
主制御部４１は、予めメモリに記録したプログラムをＣＰＵが読み出すことで、後述するレシピ情報提供部４４と、音楽情報提供部４５としての機能を実行する構成となっている。また通信部４０と同様に、主制御部４１との間で各種情報の授受が行なわれる記憶部４２には、前述したユーザ情報を記憶保存するユーザ情報記憶部（図示せず）の他に、料理集１０に掲載されたそれぞれのメニューに関するレシピ情報を記憶保存する第１記憶部４７と、複数の音楽情報を記憶保存する第２記憶部４８がそれぞれ設けられる。
【００２２】
第１記憶部４７に記憶するレシピ情報は、料理集１０に掲載された料理名や、メニューの完成状態を撮影した写真のデータだけでなく、調理に関するあらゆる情報、すなわち調理時間の目安や、使用する主な食材（材料）や、全ての材料とその分量や、下準備や、作りかたや、調理の注意点・ポイントなどを示すデータを含む。レシピ情報提供部４４は、端末１４の読取り部３２が二次元バーコード１２を読取り、その二次元バーコード１２に含まれるＵＲＬ情報を、当該端末１４から通信ネットワーク３７と通信部４０を順に通して受け取ると、第１記憶部に記憶される複数のレシピ情報の中から、端末１４から受け取ったＵＲＬ情報に対応する一つのレシピ情報を選択し、その選択したレシピ情報を端末１４に組み込まれたブラウザソフトと連携して、当該端末１４の表示部３１に表示させる機能を有する。
【００２３】
第２記憶部４８に記憶する音楽情報は、音源（音楽）を記録した音楽ファイルに加えて、その音楽に相応しい一乃至複数の料理名となるメニューと、相応しい時季（期間）を示すデータを関連付けて構成される。音楽情報提供部４５は、第２記憶部４８に記憶される全ての音楽情報の中から、レシピ情報提供部４４で選択した一つのレシピ情報に対応するメニューと、時計部４３で計時された現在時刻を含んだ期間の両方を有するデータに関連付けられた音楽情報を選択し、その選択した音楽情報を端末１４に組み込まれたブラウザソフトと連携して、当該端末１４の出力部３４から再生させる機能を有する。
【００２４】
次に、調理装置１８の構成を概略的に説明すると、本実施形態の調理装置１８はオーブン機能やレンジ機能を有する加熱調理器で、調理装置１８の外郭をなすキャビネット５１の内部には、前面を開口した調理室５２が配設される。また、調理器装置１８のほぼ前面を覆うように、調理室５２の前面開口部を開閉する扉５３が回動可能に取り付けられ、調理室５２内に被調理物を出し入れできる構成となっている。
【００２５】
扉５３の上部には、縦開きの扉５３を開閉するときに手をかける開閉操作用のハンドル５４を備えており、扉５３の下側には、表示や報知や操作のための操作パネル部５５を備えている。操作パネル部５５は、調理の設定内容や進行状況などを表示する表示部５６の他に、表示部５６の画面上をタッチ操作することで、調理のメニューや条件などを選択するための項目選択部５７と、調理室３内の被調理物に対する調理の開始を指示するスタートキーとなる調理開始指示部５８と、設定を取消したり調理を中止したりする取消しキーとなる取消し指示部５９が、ユーザＵの手動操作が可能な操作部としてそれぞれ配設される。選択項目部５７は表示部５６の手前（表面）側に配置され、複数の透明電極スイッチを有してなるタッチパネルであり、タッチされた位置が検出されるようになっている。
【００２６】
図４は、調理装置１８の主な電気的構成を示したものである。同図において、６１は制御部となるマイクロコンピュータで、このマイクロコンピュータ６１は周知のように、メモリおよびＣＰＵ（中央処理装置）や、時間をカウントするタイマーや、入出力デバイスなどを備えている。マイクロコンピュータ６１のメモリには、マイクロコンピュータ６１としての機能を実現するためのプログラムが記録されると共に、調理装置１８の各部を動作させるのに必要な、あらゆる全ての情報が記憶保存される。またタイマーは、加熱調理を開始した後の経過時間を計測する機能を有する。ここでいうあらゆる全ての情報とは、表示部５６に様々な画面を表示させるための画面情報の他に、料理集１０に掲載され、調理装置１８で調理が可能な全てのメニューについて、被調理物への加熱調理に関する加熱制御情報を含む。
【００２７】
マイクロコンピュータ６１の入力ポートには、前述した項目選択部５７や、調理開始指示部５８や、取消し指示部５９を含む操作部６２の他に、調理室５２内の温度を検出する温度検出部６３と、扉５３の開閉状態を検出する扉開閉検出部６４が、それぞれ電気的に接続され、マイクロコンピュータ６１の出力ポートには、前述した表示部５６の他に、調理室５２内の被調理物をレンジ加熱するためのマイクロ波加熱部６５と、調理室５２内の被調理物をヒータ加熱するためのヒータ加熱部６６と、調理の終了などをユーザＵにブザー音で知らせるブザー報知部６７が、それぞれ電気的に接続される。この中で、マグネトロンやその駆動手段を含むマイクロ波加熱部６５と、ヒータやその駆動手段を含むヒータ加熱部６６は、調理装置１８の内部に加熱手段として配設される。さらにマイクロコンピュータ６１には、通信ネットワーク３７を介して調理装置１８とサーバ１６との相互通信を可能にする送受信部６８が接続される。
【００２８】
マイクロコンピュータ６１は、操作部６２からの各操作信号と、温度検出部６３や、扉開閉検出部６４からの各検出信号を受けて、調理に必要な加熱制御情報や画面情報を内蔵するメモリから読み出し、タイマーからの計時に基づく所定のタイミングで、マイクロ波加熱部６５と、ヒータ加熱部６６に駆動用の制御信号を出力し、また表示部５６に表示用の制御信号を出力する機能を有する。こうした機能は、記憶媒体としてマイクロコンピュータ６１のメモリに記録したプログラムを、ＣＰＵが読み取ることで実現するが、特に本実施形態では、マイクロコンピュータ６１を加熱制御部７１と、表示制御部７２と、音声報知設定部７３と、通信制御部７４として機能させるプログラムを備えている。
【００２９】
加熱制御部７１は、主に被調理物の加熱調理に係る調理装置１８の各部の動作を制御するもので、調理開始指示部５８の操作に伴う操作信号を受け取ると、扉開閉検出部６４からの検出信号により、扉５３が閉じていると判断した場合に、マイクロ波加熱部６５やヒータ加熱部６６に制御信号を送出して、被調理物に対する種々の加熱調理を制御する。本実施形態では、調理開始指示部５８を操作する前に、項目選択部５７からの操作により、加熱の種類（レンジ加熱またはヒータ加熱の選択）や、加熱の時間や、加熱の出力または温度をそれぞれ設定するための情報がマイクロコンピュータ６１に取り込まれると、加熱制御部７１がその設定した内容に基づきマイクロ波加熱部６５やヒータ加熱部６６を制御して、被調理物を加熱する手動調理機能と、調理開始指示部５８を操作する前に、項目選択部５７からの操作により、若しくは端末１４の操作部３０からの操作により、ユーザＵが意図して選択した特定のメニューの情報がマイクロコンピュータ６１に取り込まれると、加熱制御部７１がその特定のメニューに対応する全ての情報をマイクロコンピュータ６１のメモリから読み出し、当該特定のメニューに従う加熱手順でマイクロ波加熱部６５やヒータ加熱部６６を制御して、被調理物を自動的に加熱する自動調理機能と、をそれぞれ備えている。
【００３０】
表示制御部７２は、加熱制御部７１と連携して、表示部５６の表示に係る動作を制御するもので、ここでは操作部６２からの操作信号や、調理装置１８への通電開始を受けて、マイクロコンピュータ６１のメモリに記憶される全ての画像情報の中から、表示部５６に表示させるべき画像に対応した画像情報を選択して、その画像情報を表示用の制御信号として表示部５６に送出する機能を有する。また、音声報知設定部７３は、表示制御部７２と連携して、項目選択部５７からの操作信号に基づき、ブザー報知部６７による音声報知の様々な設定を行なうものである。通信制御部７４は、調理装置１８とサーバ１６との間の通信を確立して、様々な情報の授受を行なうためのものである。
【００３１】
次に、図５と図６をさらに参照して、本実施形態のシステム１００に係る作用を詳しく説明する。
【００３２】
ユーザＵが料理集１０の中から、特定のメニューに関するレシピ情報を知りたい場合、そのメニューと同じレシピ概要部２４に含まれる二次元コード１２を、端末１４の読取り部３２から読取って端末制御部３５に取込む。例えば、図３に示す料理集１０の中で、料理名表示体２０に「クリスマスシフォンケーキ」と記載されたレシピ概要部２４の二次元バーコード１２が、端末１４の操作部３０への操作により読取り部３２から読取られると、その二次元コード１２に含まれる「クリスマスシフォンケーキ」のメニューに固有のＵＲＬ情報が端末制御部３５に取込まれる。これにより端末制御部３５は、予め端末１４にインストールされているブラウザソフトを自動的に立ち上げると共に、読取り部３２から受け取ったＵＲＬ情報に基づき、送受信部３３から通信ネットワーク３７を介してサーバ１６にアクセスし、そのＵＲＬに対応する「クリスマスシフォンケーキ」のメニューに関連したレシピ情報を含むＷｅｂページを、サーバ１６の第１記憶部４７から取込んで、表示部３１にブラウザソフト上で表示させる。
【００３３】
図５は、こうして取得した「クリスマスシフォンケーキ」のレシピ情報を含むＷｅｂページの全容を示したものである。表示部３１に表示されるＷｅｂページは、料理集１０から選択したメニューとなる料理名７５Ａや、メニューの完成状態を示す写真７５Ｂや、調理時間の目安７５Ｃや、使用する主な食材７５Ｄや、全ての材料とその分量７５Ｅや、下準備７５Ｆや、作りかた７５Ｇや、調理の注意点・ポイント７５Ｈを示したレシピ情報提示部７５と、サーバ１６の音楽情報提供部４５から提供され、選択したメニューと時季に相応しい音楽情報を示した音楽情報提示部７６と、により概ね構成される。なお、表示部３１の画面サイズには限界があり、図５に示すＷｅｂページの一部は表示部３１からはみ出して表示されないが、ユーザＵが表示部３１の画面上で操作部３０をスクロール操作すれば、Ｗｅｂページの全てを簡単に閲覧することができる。
【００３４】
レシピ情報提示部７５の写真７５Ｂは、料理集１０の画像表示体２１と同じものが用いられる。また、レシピ情報提示部７５の全ての材料とその分量７５Ｅや、下準備７５Ｆや、作りかた７５Ｇには、何れも開閉ボタン７７が設けられ、この開閉ボタン７７を操作部３０でクリックする毎に、それぞれの内容が展開または閉じて表示される。そのため、限られた表示部３１の画面サイズの中で、ユーザＵが知りたいレシピ情報の内容を効率よく表示させることができる。図５に示すＷｅｂページの表示形態は一例に過ぎず、ユーザＵに対する表示の見やすさなどを考慮して、適宜変更して構わない。
【００３５】
こうして本実施形態では、料理集１０に掲載された複数のメニューの中で、所望のメニューの近傍に配置された二次元コード１２を、ユーザＵが自身の端末１４の読取り部３２から読取るだけで、その端末１４の表示部３１に所望のメニューに対応したレシピ情報を表示させることができる。また、端末１４の表示部３１には、レシピ情報の一部として、料理集１０の画像表示体２１と同じ写真７５Ｂが、操作部３０をスクロールすることなく最初に表示されるので、ユーザＵが所望のメニューに対応した二次元コード１２を正しく読み取ったか否かを直ちに判断できる。
【００３６】
またレシピ情報提供部４４は、所望のメニューに対応したレシピ情報を第１記憶部４７から取込んだら、調理装置１８の項目選択部５７をわざわざ操作しなくても、そのレシピ情報に基づくメニューの調理を可能にするような手動調理機能や自動調理機能が、調理装置１８の加熱制御部７１で直ちに設定されるように、サーバ１６から通信ネットワーク３７を介して調理装置１８に調理設定情報を送出する構成としてもよい。これにより、ユーザＵは調理装置１８による加熱調理前の設定操作から解放され、端末１４の表示部３１に表示されるレシピ情報を集中して閲覧することができる。
【００３７】
次に、システム１００の音楽再生機能について説明する。音楽情報提示部７６は、サーバ１６の音楽情報提供部４５で選択された音楽情報の曲名を示した選択ボタン７６Ａと、選択ボタン７６Ａに示された曲名の音楽情報（音楽ファイル）を再生可能にする音楽再生コントローラ７６Ｂと、により概ね構成される。図５に示すＷｅｂページには、２つの音楽情報の曲名、すなわち曲名「ＡＡＡ」の選択ボタン７６Ａ１と、これとは別な曲名「ＡＢＣ」の選択ボタン７６Ａ２が、音楽情報提示部７６に並んで配置されているが、これはサーバ１６の音楽情報提供部４５で選択された音楽情報の数に応じて変わる。ユーザＵが選択ボタン７６Ａ１上で操作部３０をタップ操作すると、選択ボタン７６Ａ１に対応した曲名「ＡＡＡ」の音楽ファイルが自動的に再生され、代わりにユーザＵが選択ボタン７６Ａ２上で操作部３０をタップ操作すると、選択ボタン７６Ａ２に対応した曲名「ＡＢＣ」の音楽ファイルが自動的に再生される。そして何れの場合も、音楽再生コントローラ７６Ｂ上で操作部３０を適宜操作することにより、出力部３４から再生される音楽ファイルの音量を増減させたり、再生を一時停止させたりすることが可能になる。
【００３８】
図６は、サーバ１６の第２記憶部４８に記憶される音楽情報の一例を示したものである。各々の音楽情報は、音源となる例えばＭＰ３形式の音楽ファイルと、その音楽ファイルの曲に相応しい料理集１０に掲載されたメニューの中から選び出された一乃至複数のメニュー（料理名）と、その音楽ファイルの曲に相応しい期間と、を関連付けて第２記憶部４８に記憶保存されている。ここで前述の手順に従い、ユーザＵが所望するメニューに関連したレシピ情報が、レシピ情報提供部４４で選択されたとすると、音楽情報提供部４５は、第２記憶部４８に記憶される全ての音楽情報の中から、レシピ情報提供部４４に取込まれた所望するメニューと、時計部４３で計時された現在時刻を含んだ期間の両方を有する一乃至複数の音楽情報を選択抽出し、選択した音楽情報に含まれる音楽ファイルが端末１４側でレシピ情報を見ながら再生できるように、そのレシピ情報を含んだＷｅｂページに音楽情報提示部７６を埋込む。
【００３９】
例として、前述の料理名表示体２０に「クリスマスシフォンケーキ」と記載されたレシピ概要部２４の二次元バーコード１２が、端末１４の読取り部３２で読取られたとする。このとき音楽情報提供部４５は、レシピ情報提供部４４で「クリスマスシフォンケーキ」のレシピ情報を選択したときの時計部４３の計時結果が１２月５日であれば、図６に示す複数の音楽情報の中で、「クリスマスシフォンケーキ」のメニューに相当する料理名「Ｂ」と、時計部４３の計時結果である１２月５日を含む期間の両方を有する曲名「ＡＡＡ」の音楽情報と、曲名「ＡＢＣ」音楽情報を、特にユーザＵの選択した「クリスマスシフォンケーキ」のメニューと、クリスマス直前の時季に相応しい楽曲の音楽ファイルを含むものとして選択抽出する。そして、これらの音楽ファイルが最終的にユーザＵの端末１４で再生できるように、「クリスマスシフォンケーキ」のレシピ情報を示したレシピ情報提示部７５に、２つの選択ボタン７６Ａ１，７６Ａ２と、音楽再生コントローラ７６Ｂとからなる音楽情報提示部７６を付加したＷｅｂページが、サーバ１６から端末１４に送出される。これにより端末１４の表示部３１では、図５に示すようなＷｅｂページが閲覧でき、ユーザＵが選択ボタン７６Ａ１上または選択ボタン７６Ａ２上の何れかで操作部３０をタップ操作すれば、レシピ情報提示部７５でレシピ情報の詳細を視認しながら、メニューと時季に合せた曲名「ＡＡＡ」または曲名「ＡＢＣ」の音楽ファイルが出力部３４から自動的に再生され、クリスマス前に気分を盛り上げて、楽しく「クリスマスシフォンケーキ」を調理することが可能となる。
【００４０】
また音楽情報提供部４５は、同じ「クリスマスシフォンケーキ」のレシピ情報をレシピ情報提供部４４が選択したときに、時計部４３の計時結果が１月５日であれば、今度は図６に示す複数の音楽情報の中で、「クリスマスシフォンケーキ」のメニューに相当する料理名「Ｂ」と、時計部４３の計時結果である１月５日を含む期間の両方を有する曲名「ＣＤＡ」の音楽情報を選択抽出する。これにより端末１４の表示部３１では、「クリスマスシフォンケーキ」のレシピ情報を示したレシピ情報提示部７５に、曲名「ＣＤＡ」の選択ボタン７６Ａと、音楽再生コントローラ７６Ｂとによる音楽情報提示部７６を付加したＷｅｂページが閲覧でき、選択ボタン７６Ａ上で操作部３０をタップ操作すれば、レシピ情報提示部７５でレシピ情報の詳細を視認しながら、メニューと時季に合せた曲名「ＣＤＡ」の音楽ファイルが出力部３４から自動的に再生され、クリスマス後も別な楽曲で気分を盛り上げて、楽しく「クリスマスシフォンケーキ」を調理することが可能となる。
【００４１】
以上のように、本実施形態のレシピ情報提供システム１００は、料理集１０の各メニューにそれぞれ付記され、当該メニューに対応する固有の識別情報として、例えはＵＲＬ情報を含むコード部としての二次元バーコード１２と、料理集１０の各メニューに関するレシピ情報を記憶保存する第１記憶部４７と、端末１４の読取り部３２が二次元バーコード１２を読取り、その二次元バーコード１２に含まれるＵＲＬ情報を当該端末１４から受け取ると、第１記憶部４７に記憶される複数のレシピ情報の中から、受け取ったＵＲＬ情報に対応するレシピ情報を選択して、その選択したレシピ情報を端末１４の表示部３１に表示させるレシピ情報提供部４４と、を備えている。ここでのコード部は、料理集１００に掲載されたメニューを個々に識別できるものであればよく、二次元バーコード１２の他に、一次元バーコードやその他の各種バーコードを使用してもよい。
【００４２】
したがって、料理集１０に掲載されたメニューの中で、所望のメニューに付記された二次元バーコード１２を、ユーザＵが自身の端末１４の読取り部３２から読取るだけで、その端末１４に表示部３１に所望のメニューに対応したレシピ情報を表示させることができる。したがって、端末１４や調理装置１８への煩わしい操作の手間を極力省いて、ユーザＵが望むメニューに対応したレシピ情報を、すぐに表示させることが可能なレシピ情報提供システム１００を提供できる。
【００４３】
また本実施形態では、複数の音楽情報を記憶保存する第２記憶部４８と、現在時刻を計時する時計部４３と、第２記憶部４８に記憶される全ての音楽情報の中から、レシピ情報提供部４４で選択したレシピ情報に対応するメニューと、時計部４３で計時した現在時刻に共通して関連付けられた音楽情報を選択して、その選択した音楽情報をレシピ情報が表示される状態で端末１４から再生させる音楽情報提供部４５と、をさらに備えている。第２記憶部４８に記憶される音楽情報は、ＭＰ３，ＡＩＦＦ，ＷＡＶ，ＷＭＡ，ＡＡＣ，ＦＬＡＣなどの様々な形式の音楽ファイルを含み得る。
【００４４】
この場合、所望のメニューに対応したレシピ情報をユーザＵの端末１４に表示させるだけでなく、そのレシピ情報と時季に相応しい音楽をユーザＵの端末１４で、出力部３４から再生させることができる。したがって、ユーザＵの気分を盛り上げて、楽しく調理を行なうことが可能なレシピ情報提供システム１００を提供できる。
【実施例２】
【００４５】
図７は、本発明の第２実施形態におけるレシピ情報提供システム１００の構成を示している。本実施形態では、前述の端末１４を用いずに、前述の図３で示した料理集１０の二次元バーコード１２と、通信ネットワーク３７を介して相互通信が可能に接続された調理装置１８およびサーバ１６とだけで、システム１００が構成される。
【００４６】
図８は、調理装置１８の主な電気的構成を示している。８１は、調理装置１８の本体に可撓性のケーブル８２を介して取付けられたハンディタイプの読取り器であり、これらの読取り器８１とケーブル８２を含む読取り部８３は、第１実施形態の端末１４に設けられた二次元バーコード１２の読取り部３２と同等の機能を有して、マイクロコンピュータ６１の入力ポートに接続される。また調理装置１８には、サーバ１６の音楽情報提供部４５で選択された音楽情報を再生するために、マイクロコンピュータ６１の出力ポートに接続するスピーカーなどの出力部８４が設けられる。サーバ１６の各部構成は、第１実施例で示したものと概ね共通するが、調理装置１８のマイクロコンピュータ６１には、前述の端末制御部３５に備えたブラウザソフトと同等の機能が付加される。
【００４７】
本実施形態でも、料理集１０は図３に示したものが使用でき、読取り部８３で特定のメニューに対応した二次元バーコード１２を読取ると、その二次元バーコード１２に含まれるＵＲＬ情報が調理装置１８のマイクロコンピュータ６１に取込まれる。これによりマイクロコンピュータ６１は、読取り部８３から受け取ったＵＲＬ情報に基づき、送受信部６８から通信ネットワーク３７を介してサーバ１６にアクセスし、そのＵＲＬに対応する特定のメニューに関連したレシピ情報を含むＷｅｂページを、サーバ１６の第１記憶部４７から取込んで表示部５６に表示させる。例として、料理名表示体２０に「クリスマスシフォンケーキ」と記載されたレシピ概要部２４の二次元バーコード１２を、調理装置１８の読取り部８３から読取った場合には、図５で示したような「クリスマスシフォンケーキ」のレシピ情報を含むＷｅｂページを、調理装置１８の表示部５６に表示させることができる。なお、表示部５６の画面サイズには限界があり、図５に示すＷｅｂページの一部は表示部５６からはみ出して表示されないが、ユーザＵが表示部５６の画面上で操作部５５をスクロール操作すれば、Ｗｅｂページの全てを簡単に閲覧することができる。
【００４８】
こうして本実施形態では、料理集１０に掲載された複数のメニューの中で、所望のメニューの近傍に配置された二次元コード１２を、ユーザＵが調理装置８１の読取り部８３から読取るだけで、その調理装置１８の表示部５６に所望のメニューに対応したレシピ情報を表示させることができる。調理装置１８の表示部５６には、料理集１０の画像表示体２１と同じ写真７５Ｂが、操作部３０をスクロールすることなく最初に表示されるので、ユーザＵが所望のメニューに対応した二次元コード１２を正しく読み取ったか否かを直ちに判断できる。
【００４９】
また、本実施形態でも音楽情報提供部４５は、第２記憶部４８に記憶される全ての音楽情報の中から、レシピ情報提供部４４に取込まれた所望するメニューと、時計部４３で計時された現在時刻を含んだ期間の両方を有する一乃至複数の音楽情報を選択抽出し、選択した音楽情報に含まれる音楽ファイルが調理装置１８でレシピ情報を見ながら再生できるように、そのレシピ情報を含んだＷｅｂページに音楽情報提示部７６を埋込んでいる。したがって、前述の図５に示すＷｅｂページを調理装置１８の表示部５６に表示させた状態で、ユーザＵが選択ボタン７６Ａ１上または選択ボタン７６Ａ２上の何れかで操作部５７をタップ操作すれば、レシピ情報提示部７５でレシピ情報の詳細を視認しながら、メニューと時季に合せた曲名「ＡＡＡ」または曲名「ＡＢＣ」の音楽ファイルが、調理装置１８の出力部８４から自動的に再生され、クリスマス前に気分を盛り上げて、楽しく「クリスマスシフォンケーキ」を調理することが可能となる。
【００５０】
その他、本実施形態においても第１実施形態と同様の作用効果を発揮するが、重複する説明については再度の記載を省略する。
【００５１】
このように、本実施形態のレシピ情報提供システム１００は、料理集１０の各メニューにそれぞれ付記され、当該メニューに対応する固有の識別情報として、例えはＵＲＬ情報を含むコード部としての二次元バーコード１２と、料理集１０の各メニューに関するレシピ情報を記憶保存する第１記憶部４７と、読取り部８３および表示部５６が設けられ、複数のレシピ情報が示す各メニューの調理を可能にする調理装置１８と、調理装置１８の読取り部８３が二次元バーコード１２を読取り、その二次元バーコード１２に含まれるＵＲＬ情報を当該端末１４から受け取ると、第１記憶部４７に記憶される複数のレシピ情報の中から、受け取ったＵＲＬ情報に対応するレシピ情報を選択して、その選択したレシピ情報を調理装置１８の表示部５６に表示させるレシピ情報提供部４４と、を備えている。
【００５２】
したがって、料理集１０に掲載されたメニューの中で、所望のメニューに付記された二次元バーコード１２を、ユーザＵが調理装置１８の読取り部８３から読取るだけで、その調理装置１８の表示部５６に所望のメニューに対応したレシピ情報を表示させることができる。したがって、端末１４や調理装置１８への煩わしい操作の手間を極力省いて、ユーザＵが望むメニューに対応したレシピ情報を、すぐに表示させることが可能なレシピ情報提供システム１００を提供できる。
【００５３】
また本実施形態では、調理装置１８に設けられる音出力のための出力部８４と、複数の音楽情報を記憶保存する第２記憶部４８と、現在時刻を計時する時計部４３と、第２記憶部４８に記憶される全ての音楽情報の中から、レシピ情報提供部４４で選択したレシピ情報に対応するメニューと、時計部４３で計時した現在時刻に共通して関連付けられた音楽情報を選択して、その選択した音楽情報をレシピ情報が表示される状態で調理装置１８の出力部８４から再生させる音楽情報提供部４５と、をさらに備えている。
【００５４】
この場合、所望のメニューに対応したレシピ情報を調理装置１８に表示部５６表示させるだけでなく、そのレシピ情報と時季に相応しい音楽をユーザＵの調理装置１８の出力部８４から再生させることができる。したがって、ユーザＵの気分を盛り上げて、楽しく調理を行なうことが可能なレシピ情報提供システム１００を提供できる。
【００５５】
なお、本発明は上記実施形態に限定されるものではなく、本発明の趣旨を逸脱しない範囲で種々の変更可能である。図３に示す料理集１０の形態はあくまでも一例であって、レシピ概要部２４を構成する表示体２０，２１や二次元コード１２の配置などは、適宜変更してよい。また、主制御部４１に相当する機能を、サーバ１６にではなく、第１実施形態では端末１４に、第２実施形態では調理装置１８に組み込んだ構成としてもよい。
【符号の説明】
【００５６】
１０  料理集
１２  二次元バーコード（コード部）
１４  端末
１８  調理装置
３２  読取り部
４３  時計部
４４  レシピ情報提供部
４５  音楽情報提供部
４７  第１記憶部
４８  第２記憶部
５６  表示部
８３  読取り部
８４  出力部
１００  レシピ情報提供システム
【図１】
2020135212.tif 000003
【図２】
2020135212.tif 000004
【図３】
2020135212.tif 000005
【図４】
2020135212.tif 000006
【図５】
2020135212.tif 000007
【図６】
2020135212.tif 000008
【図７】
2020135212.tif 000009
【図８】
2020135212.tif 000010